(57)【要約】【課題】蟻の侵入並びに喫食行動を促進させる蟻防除装置を提供する。【解決手段】野外に生息する蟻の喫食行動が地中温度よりも高い地表面で低下することに着目し、ベイト剤収容部５の温度が蟻の生息する地中温度に近づくように、ベイト剤収容部５の下方に空隙Ｓを設けると共に、地表面からの輻射熱を遮断する底板３ａを配置する。【選択図】図４
2007209339.tif 000002
【特許請求の範囲】
【請求項１】
蟻防除用ベイト剤を収容するベイト剤収容部が設けられたケース体と、
前記ケース体の少なくとも前記ベイト剤収容部の下方に空隙を設けて配置された底板とを備えることを特徴とする蟻防除装置。
【請求項２】
前記空隙は、前記ベイト剤収容部と前記底板との間に１．５ｍｍ以上設けられていることを特徴とする請求項１に記載の蟻防除装置。
【請求項３】
前記底板を構成する外筐を備え、
前記ケース体は、少なくとも前記ベイト剤収容部の下方に空隙を設けて前記外筐内に配置されていることを特徴とする請求項１又は２に記載の蟻防除装置。
【請求項４】
前記外筐の一側面に蟻を通過させる開口部が設けられていることを特徴とする請求項３に記載の蟻防除装置。
【発明の詳細な説明】
【技術分野】
【０００１】
本発明は、蟻（アリ）を防除するための蟻防除装置に関する。
【背景技術】
【０００２】
蟻は捕獲した餌をその場で食さずに巣まで運んでから食するといった習性を有している。そこで、蟻を防除するための蟻防除装置では、このような蟻の習性を利用して、例えば蟻の好む餌と食毒剤とを混ぜた蟻防除用ベイト剤（以下、ベイト剤という。）を収納した容器に蟻を誘い入れ、このベイト剤を蟻の巣まで運ばせて巣内の蟻を一斉に駆除するといった方法が採られている（例えば、特許文献１〜３を参照。）。
【特許文献１】特開２００２−３２０４３７号公報
【特許文献２】特開２００５−５８２０７号公報
【特許文献３】特開平９−１３１１５４号公報
【発明の開示】
【発明が解決しようとする課題】
【０００３】
ところで、蟻の巣が存在する地中の温度は夏場では大気温度より低く、逆に地表面の温度は輻射熱によって地中の温度よりも高いことが知られている。このため、従来の蟻防除装置では、容器を地表面に設置した場合に、地中よりも温度の高い地表面からの輻射熱の影響を受けてしまい、蟻の侵入並びに喫食行動が低下してしまうことがあった。
【０００４】
そこで、本発明は、このような従来の事情に鑑みて提案されたものであり、蟻の防除効果を高めるため、蟻の侵入並びに喫食行動を促進させることを可能とした蟻防除装置を提供することを目的とする。
【課題を解決するための手段】
【０００５】
本発明者らは、上記課題を解決すべく鋭意検討を行った結果、野外に生息する蟻の喫食行動が地中温度よりも高い地表面で低下することに着目し、ベイト剤収容部の温度が蟻の生息する地中温度に近づくように、ベイト剤収容部の下方に空隙を設けると共に、地表面からの輻射熱を遮断する底板を配置することによって、蟻の侵入並びに喫食行動が促進されることを見出し、本発明を完成するに至った。
【０００６】
すなわち、請求項１に係る発明は、蟻防除用ベイト剤を収容するベイト剤収容部が設けられたケース体と、前記ケース体の少なくとも前記ベイト剤収容部の下方に空隙を設けて配置された底板とを備えることを特徴とする蟻防除装置である。
また、請求項２に係る発明は、前記空隙が、前記ベイト剤収容部と前記底板との間に１．５ｍｍ以上設けられていることを特徴とする請求項１に記載の蟻防除装置である。
また、請求項３に係る発明は、前記底板を構成する外筐を備え、前記ケース体は、少なくとも前記ベイト剤収容部の下方に空隙を設けて前記外筐内に配置されていることを特徴とする請求項１又は２に記載の蟻防除装置である。
また、請求項４に係る発明は、前記外筐の一側面に蟻を通過させる開口部が設けられていることを特徴とする請求項３に記載の蟻防除装置である。
【発明の効果】
【０００７】
以上のように、本発明に係る蟻防除装置では、ケース体の少なくともベイト剤収容部の下方に空隙を設け且つ底板を配置することにより、蟻の侵入並びに喫食行動を促進させることができる。
【０００８】
また、本発明に係る蟻防除装置では、ベイト剤収容部の温度が蟻の生息する地中温度に近づくように、前記空隙をベイト剤収容部と底板との間に１．５ｍｍ以上設けることが好ましい。
【０００９】
また、本発明に係る蟻防除装置では、底板を構成する外筐内にケース体を配置することによって、このケース体のベイト剤収容部に収容された蟻防除用ベイト剤に容易に触れることがない安全性に優れた構造とすることができる。
【００１０】
また、本発明に係る蟻防除装置では、外筐の一側面にのみ開口部を設けることによって、この外筐の開口部からケース体のベイト剤収容部へと効率よく蟻を誘引させることができる。
【００１１】
以上のようにして、本発明に係る蟻防除装置では、蟻の防除効果を更に高めることが可能である。
【発明を実施するための最良の形態】
【００１２】
以下、本発明を適用した蟻防除装置の一構成例について、図面を参照して詳細に説明する。
本発明を適用した蟻防除装置は、例えば図１〜図４に示すような蟻を防除するための蟻防除用ベイト剤容器（以下、ベイト剤容器という。）１である。このベイト剤容器１は、捕獲した餌をその場で食さずに巣まで運んでから食するといった蟻の習性を利用したものであり、ベイト剤Ｂを収納した容器内に蟻を誘い入れ、このベイト剤Ｂを蟻の巣まで運ばせて巣内の蟻を一斉に駆除するようにしたものである。
【００１３】
具体的に、このベイト剤容器１は、一側面に開口部２が設けられた外筐である外ケース３と、この外ケース３の開口部２から外ケース３の内部に挿入されて収納されるケース体である内ケース４とを備えている。
【００１４】
外ケース３は、開口部２が形成された面を前面側としたとき、その底面部を構成する底板３ａと、その上面部を構成する天板３ｂと、その両側面部を構成する一対の側板３ｃ，３ｄと、その背面部を構成する背板３ｅとが一体に形成されることによって、全体が略直方体状を為すと共に、開口部２から挿入された内ケース４を内部に収納する収納空間を構成している。
【００１５】
この外ケース３の大きさについては、特に制限されないものの、取り扱いや、ベイト剤Ｂの量、コスト等を考慮すると、例えば、平面形状については一辺の長さが２〜７ｃｍ程度の略方形状若しくは略長方形状が好ましく、高さについては１〜３ｃｍ程度が好ましい。また、外ケース３の各部の板厚については、容器の物理的な強度やコストを考慮して、０．８ｍｍ以上であることが好ましく、より好ましくは０．８〜５ｍｍである。
【００１６】
内ケース４は、外ケース３の内部を底板３ａと天板３ｂとの間で上下に仕切る床板部４ａと、この床板部４ａの開口部２側の側端部から外ケース３の底板３ａまで延長された勾配部４ｂと、この勾配部４ｂの下端部から外ケース３の底板３ａと接触した状態で開口部２まで延長された平坦部４ｃとを有している。
【００１７】
内ケース４には、ベイト剤Ｂを収容するベイト剤収容部５が設けられている。具体的に、このベイト剤収容部５は、床板部４ａの略中央において、平面視略矩形状の凹部５ａを形成している。さらに、この凹部５ａの周囲には、囲み壁５ｂが設けられ、凹部５ａの底面部には、ベイト剤Ｂを安定して保持するために複数の突起部５ｃが設けられている。ベイト剤Ｂは、この囲み壁５ｂを有する凹部５ａに収容されている。
【００１８】
なお、凹部５ａの形状については、特に限定されるものではなく、例えば楕円形や正方形、長方形など何れの平面形状であってもよい。また、凹部５ａの深さについては、底部から囲み壁５ｂの先端まで０．５〜８ｍｍ程度が好ましい。また、凹部５ａの容積については、収容するベイト剤Ｂの量に応じて任意に設定すればよい。
【００１９】
ベイト剤収容部５の下方には、蟻の防除効果を高めるために空隙Ｓが設けられている。本発明では、野外に生息する蟻の喫食行動が地中温度よりも高い地表面で低下することに着目し、ベイト剤収容部５の温度が蟻の生息する地中温度に近づくように、少なくともベイト剤収容部５の下方に空隙Ｓを設けると共に、地表面からの輻射熱を遮断する底板３ａを配置することによって、蟻の侵入並びに喫食行動を促進させることができる。
【００２０】
この空隙Ｓは、ベイト剤収容部５の温度が蟻の生息する地中温度（地表温度等の環境条件にもよるが、例えば地表よりも２℃以上、更には２．５℃以上、特に３℃以上低い温度）に近づくように、外ケース３及び内ケース４の高さ寸法に応じてその可能な範囲内で所望の距離を設けることができ、具体的には、ベイト剤収容部５と底板３ａとの間に１．５ｍｍ以上設けることが好ましく、更に好ましくは２ｍｍ以上である。なお、この空隙Ｓの上限については、外ケース３内で床板部４を底上げしていった場合に、この床板部４を挟んだ外ケース３の上部空間が蟻の侵入を妨げない程度とすることが好ましく、外ケース３の天板３ｂと内ケース４の床板部４ａとの間には、少なくとも５ｍｍ以上の空隙を設けることが好ましい。
【００２１】
したがって、風雨に曝される屋外に設置するベイト剤容器１としての妥当性を考慮し、例えば外ケース３の高さ寸法を１〜３ｃｍと設定した場合、この外ケース３の材質や板厚、並びに上述した外ケース３の天板３ｂと内ケース４の床板部４ａとの間の距離を考慮し、ベイト剤収容部５の下方に設ける空隙Ｓの大きさは、２ｍｍ〜２０ｍｍの範囲とすることが好ましい。
【００２２】
内ケース４には、ベイト剤収容部５よりも開口部２側に位置する仕切り壁６が設けられている。この仕切り壁６は、床板部４ａと勾配部４ｂとの間を仕切るように、この床板部４ａの開口部２側の側端部から外ケース３の天板３ｂに向かって立ち上がり形成されている。そして、この仕切り壁６には、蟻を通過させる通過口７が設けられている。
【００２３】
通過口７は、例えば蟻よりも大きいダンゴムシや、蟻の天敵であるカメムシなどの侵入を防ぎ、且つ、蟻の通過を円滑にするため、仕切り壁６を分断するスリットからなる。このスリットの形状は特に制限はなく、例えば長方形や、台形、楕円形、略円形などの任意の形状とすることができる。
【００２４】
また、通過口７のスリット幅は、通常的な生活環境中で散見することのできる蟻の体躯を考慮して、２〜４ｍｍとすることが好ましく、より好ましくは２〜３．５ｍｍである。このスリット幅が２ｍｍより小さいと、クロヤマアリなどの体躯の大きい蟻の侵入が低下してしまう。一方、このスリット幅が４ｍｍより大きいと、ダンゴムシやカメムシなどの侵入を許すことになる。
【００２５】
また、通過口７は、外ケース３や内ケース４の大きさ等に応じて所望の数だけ設けることができるが、少なくとも１つ、好ましくは２つ以上の通過口７を仕切り壁６に設けることが好ましい。すなわち、このベイト剤容器１では、スリット幅が２〜４ｍｍの通過口７を少なくとも１つ以上、好ましくは２つ以上設けることによって、蟻以外の侵入を防ぎつつ、内部のベイト剤Ｂに容易に触れることがなく安全性に優れ、しかも蟻の侵入をより高めた構造とすることができる。
【００２６】
さらに、このベイト剤容器１では、外ケース３の一側面にのみ開口部２を設けることによって、この外ケース３の開口部２から内ケース４の勾配部４ｂ、通過口７を通じて蟻をベイト剤収容部５へと効率よく誘引させることができる。具体的に、蟻の喫食行動を向上させるために、容器の周囲に多数の開口部（侵入口）を設置した場合には、逆に蟻が容器内を通過するのみでベイト剤Ｂを喫食しないことが多い。これに対して、ベイト剤容器１では、外ケース３の一側面にのみ開口部２を設けることで、このベイト剤容器１に侵入した蟻は出口を探すため、容器内に長時間留まることになり、結果としてベイト剤Ｂの喫食性が増し、優れた蟻防除効果を得ることができる。
【００２７】
床板部４ａの周囲には、この床板部４ａを挟んだ外ケース３の上部空間と下部空間との間で蟻が移動することを防ぐと共に、床板部４ａを支持し且つ外ケース３の高さ方向の強度を保つため、上述した外ケース３の一対の側板３ｃ，３ｄ及び背板３ｅの内面に沿った外周壁８が設けられている。
【００２８】
ベイト剤容器１は、外ケース３に内ケース４を固定する固定機構として、外ケース３に収納される位置において内ケース４の開口部２側への移動を係止するロック機構１０を備えている。具体的に、このロック機構１０は、外ケース３側に設けられた係止部１１と、内ケース４側に設けられた被係止部１２とを有している。係止部１１は、例えば上述した底板３ａの平坦部４ｃと接する部分に複数並んで形成された孔部からなる。被係止部１２は、例えば平坦部４ｃの底板３ａと接する部分に複数並んで形成された突起部からなる。
【００２９】
このロック機構１０では、開口部２から内ケース４を外ケース３の内部に挿入し、内ケース４が外ケース３に収納される位置において、被係止部（突起部）１２が係止部（孔部）１１に係止される（すなわち、突起部が孔部に嵌合される）ことによって、この外ケース３に収納される位置において内ケース４の開口部２側への移動が係止される。これにより、内ケース４を外ケース３の内部に強固に固定することができる。なお、突起部は、孔部に嵌合し易く且つ孔部から抜け出さないように、挿入側が傾斜面とされ、且つ、その反対側が垂直面とされている。
ベイト剤容器１では、このようなロック機構１０により内ケース４のベイト剤収容部５に収容されたベイト剤Ｂを容易に取り出すことが不可能となるため、例えば使用者や乳幼児、ペットなどが内部のベイト剤Ｂに容易に触れることがない安全性に優れた構造とすることができる。
【００３０】
なお、ロック機構１０は、上述した外ケース３に収納される位置において内ケース４の開口部２側への移動を係止する構成であれば、例えば、外ケース３側の係止部１１を突起部とし、内ケース４側の被係止部１２を孔部とすることもでき、また、上述した係止部１１及び被係止部１２の形状や組合せ等については任意に変更することができる。
【００３１】
また、外ケース３に内ケース４を固定する固定機構としては、上述したロック機構１０に限らず、接着や接合などの方法を用いて外ケース３に内ケース４を固定することも可能である。
【００３２】
以上のような構造を有するベイト剤容器１では、上述したように、少なくともベイト剤収容部５の下方に空隙Ｓを設けると共に、地表面からの輻射熱を遮断する底板３ａを配置することによって、蟻の侵入並びに喫食行動を促進させることが可能である。
すなわち、このベイト剤容器１では、ベイト剤収容部５の下に空隙Ｓを設け、このベイト剤収容部５を地表面から一定距離だけ離し、さらに、地表面からの輻射熱を遮断する底板３ａを配置することによって、蟻の喫食行動が行われ易いように容器内の温度を地表面よりも下げることができる。そして、ベイト剤収容部５の温度を蟻の生息する地中温度に近づくように空隙Ｓを設定することによって、容器への蟻の侵入並びに喫食行動が活発となり、結果として蟻の防除効果が増すことになる。
【００３３】
一方、従来のように、ベイト剤収容部が地表面に直接接する場合には、地表の輻射熱の影響により地中よりも外ケース３内の温度が高くなることによって、蟻の喫食行動が低下することになる。また、ベイト剤収容部の下方に空隙を設けただけでは地表面からの輻射熱を効率よく遮断することはできない。
【００３４】
以上のようして、本発明を適用したベイト剤容器１では、少なくともベイト剤収容部５の下方に空隙Ｓを設け且つ底板３ａを配置することにより、蟻の侵入並びに喫食行動を促進させ、蟻の防除効果を更に高めることが可能である。
【００３５】
なお、上述した外ケース３及び内ケース４の材質については、特に限定されるものではなく、例えば、ポリエチレン樹脂や、ポリプロピレン樹脂、ポリアクリル樹脂、ポリスチレン樹脂、ポリエステル樹脂、ポリカーボネート樹脂、ポリ塩化ビニル樹脂等の合成樹脂を、例えば射出成形や真空成形、プレス加工等により成形したものを用いることができる。また、これら合成樹脂を組み合わせて用いることもできる。また、合成樹脂以外にも、例えば板紙や、ポリ乳酸等に代表される生分解性樹脂などを用いてもよい。また、外ケース３と内ケース４とは、同一材料又は異なる材料で製造してもよい。また、底板３ａのみに上記材質のものを用いてもよい。
【００３６】
また、上述したベイト剤Ｂについては、特に限定されるものではなく、蟻の殺虫防除に通常使用される有効成分、或いはベイト剤として適した有効成分であれば何れのものを用いてもよい。例えば、そのような有効成分として、ホウ酸や、ピレスロイド系殺虫剤、カーバメイト系殺虫剤、アミジノヒドラゾン系殺虫剤、ピラゾール系殺虫剤、シラオネファン系殺虫剤、その他有機リン系の殺虫剤等を挙げることができる。また、必要に応じてベイト剤を凝固又は固化させるために、例えば寒天や、カラギーナン、グアガム、ローカストビーンガム、ゼラチン、カルボキシメチルセルロース、ポリビニルアルコール等のゲル化剤、並びに水を含有させてもよい。
【００３７】
また、ベイト剤の喫食を向上させる誘引性成分としては、既知の動物性成分や、植物性成分を用いることができる。具体的に、動物性成分としては、例えば、動物由来精製タンパク質、魚貝粉、牛や豚等由来の肉エキス、昆虫粉等の動物性餌類などを挙げることができる。一方、植物性成分としては、例えば、三温糖、黒砂糖、グラニュー糖、果糖、乳糖、麦芽糖、ブドウ糖、糖蜜、蜂蜜、水あめ等の糖類、トウモロコシ、小麦や米糠等の穀物類、ポテトやトウモロコシ等のスターチ類、グリセリン、或いは植物種子などを挙げることができる。
【００３８】
以下、ベイト剤Ｂの一例を示すが、本発明の内容がこれに限定されるものではない。
ホウ酸：１０．０％
グリセリン：１５．０％
黒砂糖：３５．０％
植物粒：１８．０％
寒天：２．０％
水：残部
【００３９】
なお、本発明を適用した蟻防除装置は、上述した図１〜図４に示すベイト剤容器１の構成に必ずしも限定されるものではなく、例えば図５Ａに示すように、下ケース２０に上ケース２１を嵌合させる上下嵌合型のベイト剤容器に本発明を適用してもよい。この場合も、ベイト剤Ｂを収容するベイト剤収容部２２と下ケース２０の底板２０ａとの間に空隙Ｓを設けることによって、蟻の侵入並びに喫食行動を促進させ、蟻の防除効果を高めることが可能である。
【００４０】
また、本発明は、ケース体が外筐に収納された構成に限定されるものではなく、例えば図５Ｂ及び図５Ｃに示すように、底板３０と、ベイト剤収容部３１が設けられた天板３２とを有し、この天板３２が底板３０と対向して支持部３３（又は蟻を通過させるスロープ３４）により支持された構造を有する蟻防除装置にも本発明を適用することが可能である。この場合も、ベイト剤収容部３１と底板３０との間に空隙Ｓを設けることによって、蟻の侵入並びに喫食行動を促進させ、蟻の防除効果を高めることが可能である。
【実施例】
【００４１】
以下、実施例により本発明の効果をより明らかなものとする。なお、本発明は、以下の実施例に限定されるものではなく、その要旨を変更しない範囲で適宜変更して実施することができる。
本実施例では、以下に示す実施例１〜４及び比較例１，２の各ベイト剤容器について、喫食した蟻数及び防除効果の評価試験を行った。
【００４２】
［喫食した蟻数］
蟻の巣穴から１０ｃｍ離れたところに、開口部（蟻の侵入口）を巣穴に向けた状態でベイト剤容器を設置した。そして、２時間後に容器内に侵入してベイト剤を喫食している蟻の数を調査した。
【００４３】
［蟻の防除効果］
先ず、巣穴から出現した蟻の数を１０分間に亘って調査し、そのような調査を３回行い、その平均値を蟻の出現数とした。また、このような出現数の予備調査を少なくとも２回以上行い、その予備調査による平均出現数を求めた。次に、蟻の巣穴から１０ｃｍ離れたところに、開口部（蟻の侵入口）を巣穴に向けた状態でベイト剤容器を設置した。そして、１週間後の平均出現数を調査し、蟻の防除効果を以下の式により求めた。また、評価基準は以下のとおりである。
【００４４】
【数１】
2007209339.tif 000003
【００４５】
（評価基準）
◎：０％〜２５％
○：２６％〜５０％
△：５１％〜７５％
×：７６％〜１００％
【００４６】
表１及び表２に示すように、底板の有無、並びにベイト剤収容部と底板（又は地表面）との間に設けられた空隙の距離を変更した実施例１〜４及び比較例１，２の各ベイト剤容器について、上述した喫食した蟻数及び防除効果の評価試験を行った。
なお、表１は、クロヤマアリの場合を示し、表２は、アミメアリの場合を示す。
また、実施例１〜４の各ベイト剤容器は、上記ベイト剤容器１とほぼ同様の構成を有して、上記空隙Ｓを、１．５ｍｍ（実施例１），２ｍｍ（実施例２），３．５ｍｍ（実施例３），５ｍｍ（実施例４）の範囲で変更したものである。
一方、比較例１ののベイト剤容器は、上記ベイト剤容器１とほぼ同様の構成を有して、上記空隙Ｓの距離を０、すなわちベイト剤収容部５が外ケース３の底板３ａと接する場合である。
一方、比較例２のベイト剤容器は、図６に示すように、外ケース３の底板３ａにベイト剤収容部５の下方に、このベイト剤収容部５よりも大きい開口部１３を設けた以外は、上記ベイト剤容器１とほぼ同様の構成を有して、ベイト剤収容部５と開口部１３が形成された底板３ａとの間に空隙Ｓ（１．５ｍｍ）を設けたものである。
外ケース５の底板５ａには、厚さ０．９ｍｍのポリエチレン樹脂製の板材を用いた。
仕切り壁６には、３つの通過口７を設け、これら通過口７のスリット幅は、３ｍｍとした。
また、表１及び表２中におけるベイト剤温度は、ベイト剤収容部５に収容されたベイト剤の温度である。
ベイト剤は、アリ防除成分としてホウ酸と、誘引性向上成分として黒砂糖及び植物種子と、ゲル化剤として寒天とを６０℃で加熱混合し、得られた流動性混合物を各容器のベイト剤収容部に２ｇ収容した後に、放冷・凝固したものを用いた。
なお、これらの評価試験は全て好天の午前中に行った。また、表１に示す調査時の地表面温度は、３５．２〜３６．５℃であり、表２に示す調査時の地表面温度は、３４．０〜３６．０℃であった。
【００４７】
【表１】
2007209339.tif 000004
【００４８】
【表２】
2007209339.tif 000005
【００４９】
表１及び表２に示す評価結果から、本発明のように、底板を設け且つこの底板とベイト剤収容部との間に空隙を１．５ｍｍ以上、好ましくは２ｍｍ以上設けることによって、従来よりもベイト剤温度が下がり、蟻の侵入並びに喫食行動が促進されて、良好な防除効果が得られることがわかった。また、外ケースの一側面にのみ開口部を設けることによって、蟻をベイト剤収容部へと効率よく誘引させることができ、その結果、更に良好な防除効果が得られることがわかった。
【図面の簡単な説明】
【００５０】
【図１】図１は、本発明を適用した蟻防除装置の一構成例を示す透視斜視図である。
【図２】図２は、図１に示す蟻防除装置の分解斜視図である。
【図３】図３は、図１に示す蟻防除装置の平面図である。
【図４】図４は、図１に示す蟻防除装置の断面図である。
【図５】図５は、本発明を適用した蟻防除装置の別の構成例を示す模式図である。
【図６】図６は、比較例として示す蟻防除装置の断面図である。
【符号の説明】
【００５１】
１…ベイト剤容器（蟻防除装置）２…開口部  ３…外ケース（外筐）３ａ…底板  ３ｂ…天板  ４…内ケース（ケース体）４ａ…床板部  ４ｂ…勾配部  ５…ベイト剤収容部  ６…仕切り壁  ７…通過口  １０…ロック機構  １１…孔部（係止部）  １２…突起部（被係止部）
【図１】
2007209339.tif 000006
【図２】
2007209339.tif 000007
【図３】
2007209339.tif 000008
【図４】
2007209339.tif 000009
【図５】
2007209339.tif 000010
【図６】
2007209339.tif 000011